(57)【要約】      （修正有）【課題】居酒屋、カラオケや食堂における、飲食時の会話や、吹奏楽器を演奏する際の飛沫防止を図る専用スペーサ付きマスクを提供する。【解決手段】マスク２の下側に溶着した、耳掛けゴム紐３を切り離し、両端部を結んで結び目２１を作り、環状にする。マスク２の下側両端部を把持するクリップ４には長い紐５が接続され、紐留め具６により長さの調節が可能であり、紐留め具６から紐５が抜け出さないために抜け止め用リング３１を持っている。マスク２の内側には、跳ね上げ手段１を設け、跳ね上げ手段１は、不等辺の逆Ｖの字状の先細りの可撓性の材質の薄い可撓性板Ｐから成り、可撓性板Ｐを屈曲部９で鋭角に屈曲せしめ、短辺部８は顔の鼻の両側部に当接し、先端部１１は、押圧感や堅さを緩和するためカール加工が施され、また先端部１１には肌と直接接触するため、カバー材Ｃで保護されている。【選択図】図１
0003231652.tif 000002
【実用新案登録請求の範囲】
【請求項１】
マスク内側上方中央部に設け、跳ね上げ手段である、鼻の両側部に細長い可撓性の薄い板（例えば樹脂材やばね材）を屈曲して不等辺逆Ｖの字を形成した短辺は、前記鼻両側部に当接し、長辺の下側は、マスク下側の紐を緩めると前記跳ね上げ手段は可撓性のためマスク内側の下方を跳ね上げることを特徴とした、飲食及び吹奏楽器等専用スペーサ付きマスク。
【考案の詳細な説明】
【技術分野】
【０００１】本考案は、マスク着用時において、例えば、食事の会話、ペットボトルの飲料水を飲む際や吹奏する楽器、特に尺八、クラリネットなどを演奏する際などは、マスクを外さねばならなかったので、飲食時の会話や吹奏する楽器で演奏する際でも、マスクを着用したまま飲食や吹奏楽器を演奏することなどが可能になることを目標とした、飲食、吹奏楽器等専用スペーサ付きマスクに関する。
【背景技術】
【０００２】新型コロナ感染の原因の一つとして、特に居酒屋、カラオケや食堂において、飲食時の会話が原因となっていたが、その他吹奏楽器を演奏する際の飛沫も原因の可能性があったので、マスクを着用したまま飲食や吹奏楽器の演奏が出来ることを目的としてきた。【０００３】また、飲食時の会話や吹奏楽器の演奏時などに前方への飛沫の防止を目的としてきた。
【考案の課題】
【考案が解決しようとする課題】
【０００４】一般的に風邪、インフルエンザや新型コロナ感染の飛沫感染などの原因の一つとして、特に居酒屋、カラオケや食堂において、飲食時の会話が原因となっていたが、その他吹奏楽器を演奏する際の飛沫感染も原因の可能性があったので、これらの欠点を解消しようとするものである。
【課題を解決する為の手段】
【０００５】本考案では、マスクの内側に長短不等辺の逆Ｖの字状の可撓性の薄く細長い板を屈曲させて、該短辺をマスク中欧部の両鼻側部に該逆Ｖの字の一面を当接させ、逆Ｖの字の長辺部をマスクに接着手段、例えば面ファスナーや接着剤などで取り付け、前記逆Ｖの字の他方の辺は、マスクの下側を跳ね上げ、該矩形のマスクの上側両端には、下側両端のゴム紐を切り離し、端部を締結し環状にして頭部で支持するか、前記マスク中央部に、メガネの鼻宛に引っ掛けるゴム紐を設け、該矩形のマスク両下端部には、細い紐を環状に取り付け、また、紐止め具を取り付け普段は該紐を短くし通常のマスクとして使用し、飲食時や吹奏楽器を演奏する場合には、前記紐留め具で紐を緩め、飲食時の会話や吹奏楽器を演奏する場合では、前記マスクの両下端部にクリップで挟持して、該クリップと繋がっているゴム紐又は細い紐を前記紐留め具を緩めると、前記逆Ｖの字の部材が可撓性で逆Ｖの字を形成するので、マスクの下側を跳ね上げ、飲食時の会話での飛沫防止や吹奏楽器の演奏が可能となる問題点を解決している。
【考案の効果】
【０００６】上述のように、本考案である、跳ね上げ手段である、可撓性の例えば先細りの細長い薄い樹脂の板を不等辺の逆Ｖの字状に屈曲させ、該短辺部を鼻側部にハの字状に添わせ、マスク上方中央部に接着手段である、例えば面ファスナーや接着剤で取り付け、前記不当辺の逆Ｖの字長辺部が外側に湾曲した長い面がマスク内側の下面を撥ね上げることになり、該矩形のマスク下端部に固着した、長さ調節具で紐を緩めると前記マスク下端部は跳ね上がり、開放することになるので、飲食時の会話、吹奏楽器の演奏時において、前方に飛沫の防止が可能となり、通常は前記マスク両下端部には、所謂紐留め具及び抜け止めリングを持った、帽子クリップと連結する紐を短くすると、通常のマスクとしての機能となり、該紐を長くすると飲食の時の会話や吹奏楽器の演奏では、当該マスクにより前方に飛沫を防ぐことができ、役立つことになった。
【図面の簡単な説明】
【０００７】
【図１】図１は、本考案を説明する全体斜視図である。
【０００８】
【図２】図２は、本考案の主要部を説明する図である。
【０００９】
【図３】図３は本考案を人に着用した使用状態を示す横から見た図である。
【００１０】
【図４】図４は、マスク跳ね上げ手段を取り付ける他の実施例で、（Ａ）は一般的なメガの鼻宛に装着した図で、（Ｂ）は、いわゆるメガネ付きフェイスシールドのメガネ部分の鼻宛に装着した図である。
【考案を実施するための形態】
【００１１】本考案を図１から図３に従って、本考案にかかる一実施形態について詳細に説明する。
【００１２】図１で示す、本考案全体１０の構成は、一般的なマスク２の下側に溶着した、耳掛けゴム紐３の溶着部を切り離し、該両端部を結んで結び目２１を作り、環状にする。
【００１３】前記マスク２の下側両端部を把持するものは、いわゆる帽子用紐留め具付クリップを利用したもので、クリップ４には長い紐５が、紐留め具６により長さの調節が可能で、該紐留め具６の本体１８の突出部１９を押すと前記紐５は自由になり、該紐の長さは短くも長くも調整は可能であり、前記紐留め具６から紐５が抜け出さないために抜け止め用リング３１を持っている。
【００１４】前記マスク２の内側７には、跳ね上げ手段１である、当該跳ね上げ手段１は、不等辺の逆Ｖの字状の先細りの可撓性の材質の薄い可撓性板Ｐから成り、該可撓性板Ｐを屈曲部９で鋭角に屈曲せしめ、該短辺８は図３で示す顔の鼻の両側部１２に当接し、該先端１１は、押圧感や堅さを緩和するためカール加工が施され、また先端部１１には肌と直接接触するため、カバー材Ｃ（例えばゴムチューブ）で保護されている。
【００１５】前記跳ね上げ手段１の前記樹脂板Ｐの長辺部は外方向に湾曲した湾曲部１６の先端部１５は、マスク下側部１３を跳ね上げ保持するため前記樹脂板Ｐの短辺部８より大きくより大きく拡幅したＲ状の形状を持つ、跳ね上げ部１５があり、該跳ね上げ部１５の裏面には、円形粘着部１７が貼着されていて、前記マスク内側７のマスク下側部１３と貼着され、前記湾曲部１６を持つ、長編部上方には、合体手段、例えば面ファスナーフック２４が貼着されている。
【００１６】また、該長辺湾曲部１６は、マスク下側部１３を跳ね上げるため外側に湾曲部１６を形成して、該マスク下側部１３を大きく跳ね上げた状態を保持できる。
【００１７】前記に示すように、跳ね上げ手段１は、前記マスク２の内側７上方部１４中央部に、ハの字状に配置し、台形の面ファスナーループ２０の裏側に粘着剤でマスク内側に粘着して、両跳ね上げ本体１の裏面に面ファスナーフック２４が貼着されているので、前記台形の面ファスナーループ２０と合体し固定されている。
【００１８】図２の（Ａ）は、マスク２の内側７に前記跳ね上げ手段１をハの字状に配置させ、両跳ね上げ手段１を台形状のループの面ファスナー２０が、該跳ね上げ手段１の裏側に貼着した、フックの面ファスナー２４で合体し、前記前記ループ面ファスナー２０の裏面には、粘着剤が施されているので、マスク２の内側７に貼着されている。
【００１８】図２の（Ｂ）は、前記（Ａ）を横から見た図で、（Ｃ）は、前記跳ね上げ手段１を平らに伸ばした状態を示すものである。
【００１９】図３は、一実施例の使用状態を示し、前記跳ね上げ手段１でマスク２の下側１３を跳ね上げた状態を示すもので、いわゆる、帽子用ひも付きクリップを利用したもので、マスク２の下端部の紐５を紐留め具６の本体１８にある突起部１９を押圧すると、紐は自由に開放されて、長く又は短くすることができる。
【００２０】前記マスク２の下方１３は、前記跳ね上げ手段１が可撓性のため跳ね上がった状態で保持しているので、空間部３０を確保でき、飲食や吹奏楽器の演奏が可能となった。
【００２１】図３では、マスク２の上端部をゴム紐で保持した状態であるが、図４に示す通り、跳ね上げ手段１の取り付け方法を他の実施例で示し、マスク２の上方の中央部に二つの孔（図示せず）を設け、該孔にゴム紐で環状部３０を作り、該環状部に鼻宛部２５に係止した状態を示し、（Ａ）は通常の鼻宛部２５を持つメガネ２６に装着した図、（Ｂ）は、一般的なメガネ式フェイスシールドで使用されるメガネ２７の鼻宛部２８に装着した他の実施例を示すものである。
【００２２】  以上が一実施例として本考案の説明であるが、マスクの種類は、不織布、布、ウレタンスポンジ製で作られたものがあり、本考案である、前記跳ね上げ手段１は、これらのマスクにも取り付け可能で、付き帽子用クリップ
で装着可能である。
【００２３】また、当該跳ね上げ手段１の形状は、一実施例を示すもので、細長い矩形の板、細長い長円形や前記短辺８の先端部１１に柔らかいガーゼ、フェルトや面ファスナーのループなどを装着して肌に当接する部分を柔らかくすることが考えられる。
【符号の説明】
【００２４】１・・・・・・・跳ね上げ手段全体
２・・・・・・・マスク
３・・・・・・・ゴム紐
４・・・・・・・クリップ
５・・・・・・・細い紐
６・・・・・・・紐留め具
７・・・・・・・マスク内側全体
８・・・・・・・短辺部
９・・・・・・・屈曲部
１０・・・・・・本考案全体
１１・・・・・・カール部
１２・・・・・・鼻側部
１３・・・・・・屈曲部
１４・・・・・・マスク上方部
１５・・・・・・跳ね上げ部
１６・・・・・・湾曲部
１７・・・・・・円形粘着部
１８・・・・・・紐留め具本体
１９・・・・・・紐留め具押しボタン
２０・・・・・・連結具（面ファスナーループ）
２１・・・・・・結び目
２２・・・・・・結束部
２４・・・・・・面ファスナーフック
２５・・・・・・鼻宛
２６・・・・・・メガネ
２７・・・・・・フェイスシールド用メガネ
２８・・・・・・鼻宛部
２９・・・・・・環状ゴム紐
３０・・・・・・空間
Ｃ・・・・・・・カバー材
Ｐ・・・・・・・可撓性板（樹脂板）
Ｗ・・・・・・・女性
【図１】
0003231652.tif 000003
【図２】
0003231652.tif 000004
【図３】
0003231652.tif 000005
【図４】
0003231652.tif 000006